(57)【要約】【課題】スプールストロークを維持しつつリール本体の小型・軽量化を図ることのできる魚釣用スピニングリールを提供すること【解決手段】リール本体１２ａに装着したハンドル軸１８の回転操作運動をスプール１４の前後往復運動に変換するオシレーティング機構３８を備え、このオシレーティング機構は、先端にスプール１４を有するスプール軸３６の後部に、このスプール軸と一体的に前後動するように連結された摺動体４６を有し、ハンドル軸１８上の駆動歯車２０に噛合するピニオンギヤ２２を介して、ロータ３４を駆動回転することにより、摺動体４６と共に前後動するスプール上に、釣糸を巻取る魚釣用スピニングリールであって、スプール軸３６の後部に取り付けられる摺動体４６のピニオン側突起６８を、この摺動体に対向する後部支持部５４の環状溝５７よりも小径に形成した魚釣用スピニングリール。【選択図】      図２
2006197848.tif 000002
【特許請求の範囲】
【請求項１】
リール本体に装着したハンドル軸の回転操作運動をスプールの前後往復運動に変換するスプール往復動装置を備え、このスプール往復動装置は、先端にスプールを有するスプール軸の後部に、このスプール軸と一体的に前後動するように連結された摺動体を有し、前記ハンドル軸上の駆動歯車に噛合するピニオンギヤを介して、釣糸案内部を有するロータを駆動回転することにより、前記摺動体と共に前後動する前記スプール上に、釣糸を巻取る魚釣用スピニングリールであって、
前記スプール軸の後部に取り付けられる摺動体のピニオン側取付け部を、この摺動体に対向するピニオン支持部の内径よりも小径に形成したことを特徴とする魚釣用スピニングリール。
【発明の詳細な説明】
【技術分野】
【０００１】
本発明は、魚釣用スピニングリールに関し、特に、リール本体に装着したハンドル軸の回転操作運動をスプールの前後往復運動に変換するスプール往復動装置を備える魚釣用スピニングリールに関する。
【背景技術】
【０００２】
一般に、魚釣用スピニングリールのリール本体内には、ハンドルの回転運動をスプールの前後動に変換するスプール往復動装置が設けられている。このスプール往復動装置が、ハンドルの回転操作運動で前後動する摺動体を介して、先端にスプールを設けたスプール軸を前後方向に往復動させる間、ハンドルに連動回転するロータの釣糸案内部を介してスプール上に釣糸が巻回される。
【０００３】
このスプール往復動装置の摺動体には、スプール軸の後端部が取付けられており、スプールが前方側に移動案内されるときに、ハンドル軸上の駆動歯車に噛合してハンドル回転力をロータに伝達するピニオンの後部軸受部の近傍まで、摺動体が移動される（例えば特許文献１及び特許文献２参照）。
【特許文献１】特開２０００−１７５５９９
【特許文献２】特開２００２−２７２３３０
【発明の開示】
【発明が解決しようとする課題】
【０００４】
通常、負荷が加わった釣糸を、前後動するスプールにロータを回転させながら巻回する際には、スプール軸の後端部とスプール往復動装置の摺動体との取付け部に、巻取操作するための回転方向やスプール軸に沿うスラスト方向の力、又は、スプール前方側から作用する不用意な外力が作用する。このような大きな力に強度的に対応するため、スプール軸の後端部は、摺動体の支持穴内にかなりの軸方向長さにわたって嵌合保持する必要がある。また、摺動体の前端部と、これに対向するピニオンギヤの後端部との間には、実釣時の負荷や製作面の寸法誤差等による不用意な衝突を防止するために、これら両者間の軸方向に間隙を設けることが必要とされている。
【０００５】
しかし、このような強度維持のために必要とされる摺動体の軸方向寸法と、互いに異なる運動を行う摺動体とピニオンギヤとの当たり防止のために必要とされる軸方向間隙とにより、リール本体の小型化および軽量化を図ることが困難となっている。
【０００６】
本発明は、このような事情に基づいてなされたもので、スプールストロークを維持しつつリール本体の小型・軽量化を図ることのできる魚釣用スピニングリールを提供することを目的とする。
【課題を解決するための手段】
【０００７】
上記目的を達成する本発明の魚釣用スピニングリールは、リール本体に装着したハンドル軸の回転操作運動をスプールの前後往復運動に変換するスプール往復動装置を備え、このスプール往復動装置は、先端にスプールを有するスプール軸の後部に、このスプール軸と一体的に前後動するように連結された摺動体を有し、前記ハンドル軸上の駆動歯車に噛合するピニオンギヤを介して、釣糸案内部を有するロータを駆動回転することにより、前記摺動体と共に前後動する前記スプール上に、釣糸を巻取る魚釣用スピニングリールであって、前記スプール軸の後部に取り付けられる摺動体のピニオン側取付け部を、この摺動体に対向するピニオン支持部の内径よりも小径に形成したことを特徴とする。
【発明の効果】
【０００８】
本発明の魚釣用スピニングリールによると、ハンドルの回転操作で前後に往復動する摺動体を最も前方に移動する際に、この摺動体を、干渉させることなく、ピニオン支持部の極めて近くまで移動することができるため、魚釣用スピニングリールのスプールストロークを維持しつつリール本体の小型・軽量化を図ることができ、魚釣操作性を向上させることができる。
【発明を実施するための最良の形態】
【０００９】
図１は本発明の好ましい実施形態による魚釣用スピニングリール１０を示す。この魚釣用スピニングリール１０は、剛性構造のリール本体１２ａを有し、このリール本体１２ａから延出する脚部１２ｂの端部に形成された竿取付部１２ｃを介して釣竿に取り付けられる。リール本体１２ａ内には、スプール１４に釣糸を巻回するための巻取駆動機構と、スプールを前後に往復動させるスプール往復動装置とが設けられている。
【００１０】
巻取駆動機構は、リール本体１２ａ内に回転可能に支持されてハンドル１６で回転されるハンドル軸１８に固定された駆動歯車２０と、この駆動歯車２０に噛合するピニオンギヤ２２とを備える。このピニオンギヤ２２は、ハンドル軸１８に対して直交する前後方向に延びかつリール本体１２ａに対して前部軸受２４と後部軸受２６とを介して回転自在に支持された筒軸２８の後端側外周部に設けられている。この筒軸２８の先端部には、ベール３０および釣糸案内部３２を備えたロータ３４が一体的に取り付けられ、ピニオンギヤ２２を介して筒軸２８と共に一体的に回転することができる。
【００１１】
ピニオンギヤ２２が設けられた筒軸２８内を、スプール軸３６が貫通し、ハンドル軸１８と直交する方向に延在している。このスプール軸３６は、筒軸２８と同心的に配されており、筒軸２８およびリール本体１２ａに対してハンドル軸１８と直交する方向に沿って前後動することができる。このスプール軸３６の先端部に、釣糸が巻回されるスプール１４が取り付けられる。
【００１２】
スプール１４を前後方向に往復動するスプール往復動装置を形成するオシレーティング機構３８は、ハンドル軸１８と一体回転する歯車４０に噛合する連動歯車４２を有し、この連動歯車４２に突設され且つ連動歯車４２の回転中心軸から偏心して位置する係合突起４４を、スプール軸３６の後端部に取り付けられた摺動体４６のカム溝４８に係合させ、連動歯車４２が回転したときに、摺動体４６を図示しないガイドレールに沿って前後方向に案内することができる。このようなオシレーティング機構３８は、駆動軸１８がハンドル１６の回転操作によって回転されると、駆動軸１８上の歯車４０と噛み合う連動歯車４２が回転し、それに伴って、連動歯車４２の係合突起４４が回転すると共に、この係合突起４４に係合するカム溝４８の案内によって摺動体４６が前後に往復動する。したがって、摺動体４６に取り付けられたスプール軸３６が筒軸２８内を軸方向に沿って往復駆動（前後動）する。このスプール軸３６の前後方向移動距離であるスプールストロークは、連動歯車の回転中心軸からの係合突起４４の偏心量と、カム溝４８の前後方向距離とで定まる。
【００１３】
このように形成された魚釣用スピニングリール１０は、ハンドル１６を回転操作してハンドル軸１８を回転させると、オシレーティング機構３８の摺動体４６に取付けられたスプール軸３６を介してスプール１４が前後に往復動し、一方、巻取駆動機構の駆動歯車２０とピニオンギア２２と筒軸２８とを介してロータ３４が回転駆動される。したがって、スプール１４には、釣糸案内部３２で案内されつつ、スプール１４上に釣糸がほぼ均等に巻回される。
【００１４】
なお、リール本体１２ａ内には、ロータ３４の逆回転（釣糸をスプールから繰出す方向の回転）を防止する周知の一方向クラッチ５０を備えた逆転防止機構が配置されており、この逆転防止機構を、リール本体１２ａの後端壁部に設けた切換レバー５２を通じて切換操作し、ロータ３４が正逆転可能な状態と、正転可能でかつ逆転不能の状態とに切換えることができる。ロータ３４がいずれの状態にあっても、ハンドル１６を正転方向（釣糸をスプールに巻き取る方向の回転）に回転すると、図示しない公知の復帰機構を介して、釣糸放出位置にあるベール３０は、図１に示す釣糸巻取位置に復帰することができる。
【００１５】
図２および図３に拡大して示すように、ボール軸受で形成した後部軸受２６の外輪部材を支える後部支持部５４が、ピニオン支持部としてリール本体１２ａに一体に形成されている。この後部支持部５４には、スプール軸３６を挿通する軸方向孔５６と、前方に開口して後部軸受２６を収容する凹部５８とを有する。この凹部５８は、軸方向孔５６よりも大径に形成してあり、この凹部５８の内周面と軸方向孔５６との間には、環状面６０が形成される。
【００１６】
本実施形態の後部支持部５４には、スプール軸３６を軸方向に摺動自在に支える軸受部材６２が装着されている。この軸受部材６２は、低摩擦の金属材や樹脂等で形成されており、その内周面でスプール軸３６を摺動自在に支える円筒状部６２ａと、この円筒状部６２ａの後端側から半径方向外方に突出して軸方向孔５６の内周面と凹部５８の内周面とこれらの間の環状面６０とに当接するフランジ部６２ｂとを有する。このように軸受部材６２を装着した後部支持部５４には、軸方向孔５６と軸受部材６２とスプール軸３６とにより、後方すなわち摺動体４６側に開口する環状溝５７が形成される。そして、この後部支持部５４の凹部５８に収容される後部軸受２６は、このフランジ部６２ｂの外周縁部から前方に向けて突出する突縁部により、軸方向後方側で位置決めされ、後端側の小径部２９を内周部に嵌合させると共にこの小径部２９の前部に形成される段部を内輪部材の先端側端面に当接させ、これにより、ピニオンギヤ２２を有する筒軸２８を後部側で位置決めする。この筒軸２８の前部側の位置決めは、前部軸受２４（図１参照）を介して、ナット３５により行われ、この筒軸２８の内周面とスプール軸３６の外周面との間には僅かな間隙が形成されている。
【００１７】
このように後部支持部５４で支えられたスプール軸３６の後端部に、上述のオシレーティング機構３８の摺動体４６が固定される。この摺動体４６は、スプール軸３６の後端部を保持する保持孔６４を、上端側すなわちハンドル軸１８に近接した側に位置する取付け部に有する。この保持孔６４には、ピニオンギヤ２２の側部に形成した平坦面３７に対応する平坦面４７が形成され、これらの平坦面３７，４７を通じて周方向および軸方向の位置決めすることができる。これらのスプール軸３６と摺動体４６とは、止めねじ６６により一体的に固定され、回り止めおよび抜け止めされている。
【００１８】
この摺動体４６は、保持孔６４を形成した取付け部のピニオンギヤ２２に近接した側に、ピニオン側取付け部として保持孔６４の周部を突出させて形成された筒状の突部６８を有する。この突部６８により、取付け部にしたがって保持孔６４の軸方向長さが延長され、この保持孔６４内にスプール軸３６の後端部を十分な軸方向長さにわたって保持し、摺動体４６のコンパクトでかつ軽量構造を維持しつつ、スプール軸３６の取付け部の十分な強度維持を図ることができる。この突部６８は、略円筒状形状に形成するのが好ましいが、軸方向孔５６に対して支障なく軸方向移動できるものであれば、例えば矩形断面形状等の適宜の形状に形成することもできる。
【００１９】
一方、ピニオン支持部である後部支持部５４には、軸方向孔５６で形成される環状溝５７が、摺動体４６の突部６８に対向配置されており、この環状溝５７の内径にあたる軸方向孔５６の内径寸法ａは、突部６８の外径寸法ｂよりも大きく形成してある。また、この環状溝５７は、摺動体４６が最も前方位置（図２および図３に想像線で示す位置）に配置されたときに、その底部すなわち軸受部材６２の端面が突部６８との間に間隙を形成する。したがって、摺動体４６は、最も前方位置に移動したときに、後部支持部５４の環状溝５７の内径よりも小径に形成した突部６８の先端側を、この環状溝５７内にまで移動させ、摺動体４６と後部支持部５４との干渉を防止することができる。これにより、ピニオンギヤ２２および筒軸２８の後端側位置を位置決めする後部支持部５４をリール本体１２ａの後方位置に配置させて前後方向の長さを短く、コンパクトに形成することが可能となり、スプール往復動装置であるオシレーティング機構３８による所要のスプールストロークを維持しつつリール本体１２ａの小型・軽量化を図ることができ、魚釣操作性を向上させることができる。
【００２０】
図４は、このようなコンパクトな構造のリール本体１２ａに用いる連動歯車４２と摺動体４６とが係合突起４４とカム溝４８とを介して連結されている状態を示す。
【００２１】
連動歯車４２は、例えばアルミニウム合金、マグネシウム合金あるいは樹脂等の軽量の材料で形成され、ステンレス鋼（ＳＵＳ）あるいは銅合金（Ｂｓ）で形成した係合突起４４の一端をインサート式に植え込み（図４の（Ａ））、あるいは、カシメ固定（図４の（Ｂ）することにより、連動歯車４２に一体的に固定することができる。いずれの場合も、連動歯車４２に比重３．０以下の軽量材質の材料で形成し、係合突起４４には、この連動歯車４２の材料よりも高強度の材質を持つ材料で形成するのが好ましい。また、係合突起４４の径すなわちカム溝４８に係合する部位の径は、オシレートストロークすなわちスプール１４の前後方向移動距離の２０％以下に形成することが好ましい。これにより、全体の軽量化とコンパクトなボディ構造を形成することができる。
【図面の簡単な説明】
【００２２】
【図１】本発明の好ましい実施形態による魚釣用スピニングリールの一部を断面とした側面図。
【図２】図１に示す魚釣用スピニングリールの一部の拡大断面図。
【図３】図２のＩＩＩ−ＩＩＩ線に沿う断面図。
【図４】図１に示す魚釣用スピニングリールの連動歯車と係合突起との結合状態の２つの例を示す断面図。
【符号の説明】
【００２３】
１０…魚釣用スピニングリール、１２ａ…リール本体、１４…スプール、１８…ハンドル軸、２０…駆動歯車、２２…ピニオンギヤ、３４…ロータ、３６…スプール軸、３８…オシレーティング機構、４６…摺動体、５４…後部支持部、５７…環状溝、６８…突起。
【図１】
2006197848.tif 000003
【図２】
2006197848.tif 000004
【図３】
2006197848.tif 000005
【図４】
2006197848.tif 000006